(57)【要約】【課題】  非実働時間の短縮を実現するライブラリ装置等を提供する。【解決手段】  ロック機構は、収納対象である収納体に向けて回転付勢すると共に、当該収納体の外形をなす複数の面のうち、前記収納体の挿抜方向と平行な面に設けられた切欠き部と嵌合可能な第１のロック部と、前記第１のロック部と前記収納体を挟んで対向する側に設けられ、少なくとも一部が前記収納体の移動路に位置すると共に、前記収納体の外形をなす複数の面のうち、当該収納体が挿抜される挿抜口からみて奥側の面に当接する当接部材を含む第２のロック部とを備える。【選択図】      図２
2014116038.tif 000002
【特許請求の範囲】
【請求項１】
収納対象である収納体に向けて回転付勢すると共に、当該収納体の外形をなす複数の面のうち、前記収納体の挿抜方向と平行な面に設けられた切欠き部と嵌合可能な第１のロック部と、
前記第１のロック部と前記収納体を挟んで対向する側に設けられ、少なくとも一部が前記収納体の移動路に位置すると共に、前記収納体の外形をなす複数の面のうち、当該収納体が挿抜される挿抜口からみて奥側の面に当接する当接部材を含む第２のロック部と
を備えたロック機構。
【請求項２】
前記第２のロック部は、前記当接部材に連結されると共に、当該当接部材が前記収納体の移動路と重ならない位置に移動する方向に力を加えるシャフトをさらに含む
請求項１記載のロック機構。
【請求項３】
前記シャフトは、一端で前記当接部材に連結される第１のシャフトと、当該第１のシャフトの他端に対して前記当接部材が前記収納体の移動路と重ならない位置に移動する方向に力を加える第２のシャフトとを含む
請求項２記載のロック機構。
【請求項４】
前記第２のロック部は、前記第２のシャフトにおける、前記第１のシャフトの他端に対して前記力を加える端部の他端に連結されると共に、少なくとも一部が前記収納体の移動路に位置するロック部材をさらに含む
請求項３記載のロック機構。
【請求項５】
前記ロック部材は、前記切欠き部が設けられた面に対向する面に設けられた凹部に、前記少なくとも一部が位置する
請求項４記載のロック機構。
【請求項６】
前記ロック部材は、前記収納体の挿入方向の力を受けると、前記収納体の移動路と重ならない位置に移動すると共に、前記第２のシャフトを介して前記第１のシャフトに対して前記当接部材が前記収納体の移動路と重ならない位置に移動する方向に力を加える
請求項４または請求項５記載のロック機構。
【請求項７】
前記第２のシャフトは、前記ロック部材の移動に連動して回転し、前記第１のシャフトは、前記第２のシャフトの前記回転に連動して回転することにより、前記当接部材が前記収納体の移動路と重ならない位置に移動する方向に力を加える
請求項６記載のロック機構。
【請求項８】
前記第２のロック部は、前記第１のシャフトと前記第２のシャフトとを連結すると共に、前記第１のシャフトに連結される前記当接部材と、前記第２のシャフトに連結される前記ロック部材とが前記収納体を押さえる方向に付勢する付勢部材をさらに含む
請求項３ないし請求項７のいずれか１項記載のロック機構。
【請求項９】
前記第１のロック部は、前記回転付勢に抗う力に応じて回転することにより前記嵌合を解除する
請求項１ないし請求項８のいずれか１項記載のロック機構。
【請求項１０】
挿抜口からみて手前に配置される第１の収納体と、前記第１の収納体に対して前記挿抜口からみて奥側に配置される第２の収納体と、
前記第１の収納体に向けて回転付勢すると共に、前記第１の収納体の外形をなす複数の面のうち、当該第１の収納体の挿抜方向と平行な面に設けられた切欠き部と嵌合可能な第１のロック部と、前記第１のロック部と前記第１の収納体を挟んで対向する側に設けられ、前記第１の収納体の外形をなす複数の面のうち、前記挿抜口からみて奥側の面に設けられた突出部に当接することにより前記第１の収納体の移動路と重ならない位置で停止する当接部材を含む第２のロック部とを有するロック機構と
を備えたライブラリ装置。
【発明の詳細な説明】
【技術分野】
【０００１】
本発明は、複数の記録媒体を収納すると共に、当該記録媒体に対するデータの読み書きを行うライブラリ装置および当該ライブラリ装置が備えるロック機構に関する。
【背景技術】
【０００２】
コンピュータで利用するプログラムやデータを高い信頼性で保存するために、磁気テープライブラリ装置等のライブラリ装置が用いられる。
【０００３】
磁気テープライブラリ装置では、記録媒体である磁気テープとリールとを一体化したカートリッジが交換可能に用いられる。ライブラリ装置は、このようなカートリッジを複数収容するカートリッジ収納棚（以下の説明では、「マガジン」と称する）と、記録媒体に対する読み書きを実行するドライブ装置と、記録媒体をマガジンとドライブ間で搬送するアクセッサ機構とを備えている。
【０００４】
マガジンは、内部が複数のセルに分割されており、各々のセルにはカートリッジが１つずつ収容される。
【０００５】
アクセッサ機構は、任意のマガジンの任意のセルに収容されているカートリッジを取り出すと共にそれをドライブ装置へセットする動作と、ドライブ装置から取り出したカートリッジを、任意のマガジンの任意のセルに収容する動作とを行う。
【０００６】
このようなライブラリ装置においては、ユーザがマガジンを引き出して装置外へ取り出すと共にカートリッジを交換し、交換後のカートリッジが装着されたマガジンを装置に挿入することにより、カートリッジの交換が実施される。
【０００７】
このようにカートリッジの交換が実施された後、ライブラリ装置はインベントリ処理を実行する必要がある。すなわち、ライブラリ装置は、カートリッジに設けられたバーコードから識別子を読み取るなどの方法により、収容されている全てのカートリッジの情報を取得すると共に、取得した情報をライブラリ装置内の記憶部に記憶するインベントリ処理を行う必要がある。
【０００８】
しかしながら、記録媒体に格納されるデータ量の増大に伴い、多数の記録媒体が高密度実装されるようになり、その結果、インベントリ処理の実行時間が増大すると共にライブラリ装置の非実働時間が増大するという問題がある。
【０００９】
例えば、特許文献１は、カートリッジ交換の際のライブラリ装置における非実働時間の短縮を実現する技術を開示する。具体的には、マガジンの一部の棚をライブラリ装置外に排出可能にすると共に、ライブラリ装置による処理動作を継続させながらカートリッジの交換を可能とする機構が開示される。
【００１０】
また、特許文献２は、構成部品が少なく簡素な機構でマガジンの引き出し量を段階的に変化させることができるマガジン保持構造を開示する。
【先行技術文献】
【特許文献】
【００１１】
【特許文献１】特開２０１１−１６５２３９号公報
【特許文献２】特開２００９−２３０８３９号公報
【発明の概要】
【発明が解決しようとする課題】
【００１２】
上記特許文献１に開示されるライブラリ装置では、一度に取り出せるカートリッジ巻数が１巻または２巻と少ないためにカートリッジ交換の回数を多く必要とするので、ライブラリ装置における非実働時間は依然として長いという課題がある。
【００１３】
また、特許文献２は、ライブラリ装置においてマガジンの引き出し量を段階的に変化させる技術を開示するものであり、ライブラリ装置の非実働時間の短縮を実現する技術は開示されない。
【００１４】
本願発明は、上記課題を鑑みてなされたものであり、非実働時間の短縮を実現するライブラリ装置等を提供することを主要な目的とする。
【課題を解決するための手段】
【００１５】
本発明の第１のロック機構は、収納対象である収納体に向けて回転付勢すると共に、当該収納体の外形をなす複数の面のうち、前記収納体の挿抜方向と平行な面に設けられた切欠き部と嵌合可能な第１のロック部と、前記第１のロック部と前記収納体を挟んで対向する側に設けられ、少なくとも一部が前記収納体の移動路に位置すると共に、前記収納体の外形をなす複数の面のうち、当該収納体が挿抜される挿抜口からみて奥側の面に当接する当接部材を含む第２のロック部とを備える。
【００１６】
本発明の第１のライブラリ装置は、挿抜口からみて手前に配置される第１の収納体と、前記第１の収納体に対して前記挿抜口からみて奥側に配置される第２の収納体と、前記第１の収納体に向けて回転付勢すると共に、前記第１の収納体の外形をなす複数の面のうち、当該第１の収納体の挿抜方向と平行な面に設けられた切欠き部と嵌合可能な第１のロック部と、前記第１のロック部と前記第１の収納体を挟んで対向する側に設けられ、前記第１の収納体の外形をなす複数の面のうち、前記挿抜口からみて奥側の面に設けられた突出部に当接することにより前記第１の収納体の移動路と重ならない位置で停止する当接部材を含む第２のロック部とを有するロック機構とを備える。
【発明の効果】
【００１７】
本願発明によれば、ライブラリ装置における非実働時間の短縮を実現できる。
【図面の簡単な説明】
【００１８】
【図１】本発明の第１の実施形態に係るライブラリ装置の斜視図である。
【図２】本発明の第１の実施形態に係るライブラリ装置において、フロントマガジンとリアマガジンとを取り外した状態の上面図である。
【図３】本発明の第１の実施形態に係るライブラリ装置において、フロントマガジンとリアマガジンとを格納した状態の上面図である。
【図４】本発明の第１の実施形態に係るライブラリ装置において、カートリッジ交換開始の際の状態を示す上面図である。
【図５】本発明の第１の実施形態に係るライブラリ装置において、フロントマガジンが装置筐体の挿抜口から引き出された状態を示す上面図である。
【図６】本発明の第１の実施形態に係るライブラリ装置において、リアマガジンが装置筐体の手前側でロックされた状態の斜視図である。
【図７】本発明の第１の実施形態に係るライブラリ装置において、フロントマガジンを装置筐体に挿入する配置を説明する上面図である。
【図８】本発明の第２の実施形態に係るロック機構の構成を示すブロック図である。
【発明を実施するための形態】
【００１９】
以下、本発明の実施形態について図面を参照して詳細に説明する。
【００２０】
第１の実施形態
図１は、本発明の第１の実施形態に係るライブラリ装置１００の斜視図である。本実施形態においては、記録媒体として、カートリッジに収納された磁気テープを適用した例について説明する。
【００２１】
図１に示すように、ライブラリ装置１００は、装置筐体１０１内に、挿抜口１０６から見て手前側と奥側に、フロントマガジン２００とリアマガジン３００とを備える。フロントマガジン２００とリアマガジン３００は、それぞれカートリッジに収納された磁気テープを収納するカートリッジ収納棚である。以下の説明において、ライブラリ装置１００は、図１に示す如く三次元空間（Ｘ−Ｙ−Ｚ座標空間）に配置されていると仮定する。
【００２２】
ライブラリ装置１００はまた、フロントマガジン２００とリアマガジン３００内のカートリッジを搬送するアクセッサ機構１０３と、搬送されたカートリッジ内の磁気テープに対してデータの読み書きを行う磁気テープドライブ１０２とを備える。フロントマガジン２００とリアマガジン３００は、ユーザにより挿抜口１０６から挿抜方向（Ｘ方向）に移動可能かつ挿抜可能である。なお、ライブラリ装置１００は、装置筐体１０１の上部を覆う天板を備えるが、構成部材の説明のために以下ではその説明を省略する。
【００２３】
図２は、図１に示した本実施形態に係るライブラリ装置１００において、フロントマガジン２００とリアマガジン３００とを取り外した状態を示す上面図である。図２に示すように、ライブラリ装置１００は、第１のロック機構４００と第２のロック機構５００とを備える。ライブラリ装置１００はまた、アクセッサ機構ガイドレール１０４とマガジンガイドレール１０５とを備える。アクセッサ機構１０３は、アクセッサ機構ガイドレール１０４に沿ってＸ方向に移動可能である。フロントマガジン２００およびリアマガジン３００は、マガジンガイドレール１０５に沿ってＸ方向に移動可能である。
【００２４】
第１のロック機構４００は、ロックレバー４０１、Ｚ方向に配置されたロック回転軸４０２および図示しない付勢バネを備える。ロックレバー４０１は、ロック回転軸４０２を中心に回転可能であり、外力が加わらない限り付勢バネにより図２に示す角度で停止する。
【００２５】
第２のロック機構５００は、ロック部材となるロックブロック５０１、当接部材となるロックブロック５０２、第２のシャフトとなるロックシャフト５０３、第１のシャフトとなるロックシャフト５０４を備える。また、第２のロック機構５００は、それぞれＺ方向に配置されたロック回転軸５０５、ロック回転軸５０６を備える。
【００２６】
図２に示すように、例えばロックブロック５０１は略逆三角形の上面形状を有し、ロックブロック５０２は、略長方形の上面形状を有する。ロックブロック５０１は、ロック回転軸５０５を中心に回転可能なロックシャフト５０３の一端に結合される。ロックブロック５０２は、ロック回転軸５０６を中心に回転可能ロックシャフト５０４の一端に結合される。
【００２７】
ロックシャフト５０３の他端とロックシャフト５０４の他端はそれぞれ突出片を有し、第２のロック機構５００は、当該突出片同士が接触する構成を有する。第２のロック機構５００はまた、当該突出片同士の接触部位付近にロックシャフト５０３とロックシャフト５０４とを連結する図示しない付勢バネを備え、当該付勢バネによる付勢力によって第２のロック機構５００は、図２に示す角度で停止する。
【００２８】
第２のロック機構５００は、リンク機構によってロックブロック５０１の図２に示すＹ方向の動作とロックブロック５０２のＹ方向の動作とが連動する。リンク機構は、ロックシャフト５０３，５０４、ロック回転軸５０５，５０６および付勢バネにより構成される。リンク機構は、以下の動作をなす。すなわち、ロックブロック５０２がＹ方向に動くと、ロック回転軸５０６を中心にロックシャフト５０４が回転する。その回転に応じて、ロックシャフト５０４の突出片と接触しているロックシャフト５０３の突出片が押し上げられると共にロックシャフト５０３がロック回転軸５０５を中心に回転する。そして、ロックシャフト５０３の回転に伴って、ロックブロック５０１がＹ方向に動く。
【００２９】
次に、ライブラリ装置１００の通常の稼働状態における配置について説明する。
【００３０】
図３は、本実施形態に係るライブラリ装置１００における通常の稼働状態の配置を示す上面図である。図３は、図２に示すライブラリ装置１００に対して、フロントマガジン２００とリアマガジン３００とを格納した状態を示す。図３では、説明の便宜上からフロントマガジン２００とリアマガジン３００に関して、それぞれの底面を構成するフロントマガジン底板２０１とリアマガジン底板３０１のみを表している。
【００３１】
図３に示すように、フロントマガジン底板２０１は、切欠き部２０２、凹部２０３および突出部２０４を備える。リアマガジン底板３０１は、切欠き部３０２および凹部３０３を備える。凹部２０３と凹部３０３は、それぞれ図３に示す形状を有し、凹部３０３は突出部２０４が図３のように挿入可能な形状を有する。
【００３２】
フロントマガジン底板２０１とリアマガジン底板３０１は、図示しない嵌合部材を用いて互いに解除可能に連結されている。
【００３３】
ライブラリ装置１００は、図３に示す配置において通常の稼働を実施する。第１のロック機構４００は、フロントマガジン底板２０１に向けて回転付勢すると共に、フロントマガジン底板２０１に設けられた切欠き部２０２と嵌合可能である。通常の稼働状態では、第１のロック機構４００は、切欠き部２０２と嵌合した状態で停止する。第１のロック機構４００は、この嵌合により、フロントマガジン２００とリアマガジン３００が装置筐体１００の挿抜口１０６から引き出されることを防ぐ。
【００３４】
第２のロック機構５００は、ロックブロック５０１がその一部を図３に示すようにフロントマガジン底板２０１の凹部２０３に位置すると共に、ロックブロック５０２がフロントマガジン底板２０１の突出部２０４に当接した状態で停止する。このとき、フロントマガジン底板２０１はロックブロック５０１、５０２を押さえる状態となり、ロックブロック５０１、５０２は付勢バネによりフロントマガジン底板２０１の方向に付勢する。
【００３５】
図３に示す状態において、アクセッサ機構１０３は、図示しない制御回路による制御に基づいて、フロントマガジン２００とリアマガジン３００に格納されたカートリッジの取り出し、運搬、および格納動作を行う。アクセッサ機構１０３はまた、磁気テープドライブ１０２内において、カートリッジに格納される磁気テープにデータの読み書きを行う。図３に示す通常の稼働状態における第１のロック機構４００と第２のロック機構５００の位置を、以下の説明において初期位置と称する。
【００３６】
次に、ライブラリ装置１００におけるカートリッジ交換の際の配置について説明する。
【００３７】
図４は、本第１の実施形態に係るライブラリ装置１００において、カートリッジ交換開始の際の状態を示す上面図である。図４を参照して、カートリッジ交換の際のライブラリ装置１００の配置について説明する。
【００３８】
カートリッジ交換の際、制御回路はアクセッサ機構１０３に対して、カートリッジ交換が実施されることを指示する。アクセッサ機構１０３は、上記指示に応じて図４に示す位置に移動すると共に第１のロック機構４００のロックレバー４０１を押圧する。ロックレバー４０１が押圧されると、第１のロック機構４００は、ロック回転軸４０２を中心に回転することにより、フロントマガジン底板２０１との嵌合を解除する。これにより、フロントマガジン２００とリアマガジン３００は、図４に示すＸ方向に移動可能となる。
【００３９】
上記のように嵌合が解除されると、ユーザは、カートリッジ交換のためにフロントマガジン２００を挿抜口１０６から取り出す。フロントマガジン２００とリアマガジン３００は、互いに嵌合部材により連結されているので、ユーザがフロントマガジン２００をＸ方向に引き出すと、リアマガジン３００も挿抜口１０６まで引き出される。ここで、フロントマガジン２００が引き出されると、アクセッサ機構１０３はフロントマガジン２００の引き出しの振動等により後方、すなわち−Ｘ方向に退避する。その結果、アクセッサ機構１０３によるロックレバー４０１の押圧が解除される。よって、第１のロック機構４００は、フロントマガジン２００が取り出される最中、付勢バネの力により初期位置に戻ろうとする力をフロントマガジン底板２０１の側面に加える状態となる。
【００４０】
また、フロントマガジン２００が引き出されると、ロックブロック５０２が当接していた突出部２０４が引き出し前の元の位置から存在しなくなるので、第２のロック機構５００では、ロックブロック５０２がＹ方向に動く。そしてそれに連動して、ロックブロック５０１にＹ方向の力が加わるので、フロントマガジン底板２０１がロックブロック５０１を押さえる状態となる。この状態を維持しながら、フロントマガジン２００は装置筐体１０１から引き出される。
【００４１】
次に、フロントマガジン２００が装置筐体１０１から完全に引き出された際の配置について説明する。
【００４２】
図５は、本第１の実施形態に係るライブラリ装置１００において、フロントマガジン２００が装置筐体１００の挿抜口１０６から引き出された状態を示す上面図である。図５に示すように、フロントマガジン２００が引き出されると、初期位置に戻ろうとする力をフロントマガジン底板２０１の側面に加えていた第１のロック機構４００は、リアマガジン底板３０１の切欠き部３０２と嵌合する。この嵌合により、リアマガジン３００の＋Ｘ方向への移動が制限される。それと共に、フロントマガジン２００とリアマガジン３００との嵌合部材による連結が解除され、フロントマガジン２００のみが装置筐体１００から取り出される。
【００４３】
また、フロントマガジン２００が装置筐体１００から取り出されると、ロックブロック５０１を押さえていたフロントマガジン底板２０１が取り出し前の元の位置から存在しなくなるので、第２のロック機構５００は付勢バネにより、図５に示す初期位置に戻る。すなわち、ロックブロック５０１は、フロントマガジン底板２０１により押さえられることによりフロントマガジン底板２０１の移動路と重ならない位置にあった状態から、凹部３０３に突出するように上記移動路に移動すると共に図５に示す初期位置で停止する。このとき、ロックブロック５０２もロックブロック５０１の移動に連動してフロントマガジン底板２０１の移動路に突出すると共に、リアマガジン底板３０１の背面に当接する。ロックブロック５０２がリアマガジン底板３０１の背面に当接することにより、リアマガジン３００の−Ｘ方向への移動が制限される。
【００４４】
このように、第１のロック機構４００による嵌合と、第２のロック機構５００によるロックにより、リアマガジン３００は＋Ｘ方向にも−Ｘ方向にも移動できない状態となる。この状態で、ユーザは、上記のように取り出したフロントマガジン２００内のカートリッジ交換を実施する。
【００４５】
図６は、本第１の実施形態に係るライブラリ装置１００において、図５に示したようにリアマガジン３００が装置筐体１００の手前側でロックされた状態の斜視図である。アクセッサ機構１０２の制御回路は、図示しないメモリ等に予め保持するリアマガジン３００に収容されるカートリッジに関する位置情報を、フロントマガジン２００の位置情報に変更する。また、図６に示すように、リアマガジン３００は、装置筐体１００の挿抜口１０６を塞いだ状態でロックされるので、ライブラリ装置１００の稼働中にユーザの手が装置筐体１００内に入ることを防止できる。このような構成により、ライブラリ装置１００は、フロントマガジン２００が取り出された状態でも、アクセッサ機構１０２がリアマガジン３００内のカートリッジの取り出し、運搬、格納動作を行うと共に、磁気テープドライブ１０１内においてカートリッジへのデータの書き込みを行うという動作を継続できる。したがって、ライブラリ装置１００は、フロントマガジン２００のカートリッジ交換を実施している間の非実働状態を回避できる。
【００４６】
次に、フロントマガジン２００が装置筐体１０１に挿入される際の配置について説明する。
【００４７】
図７は、本第１の実施形態に係るライブラリ装置１００において、フロントマガジン２００を装置筐体１０１に挿入する配置を説明する上面図である。図７に示すように、フロントマガジン２００を挿入すると、フロントマガジン底板２０１に設けられた突起部２０４が、ロックブロック５０１を−Ｙ方向に押しやる。そして、第２のロック機構５００のリンク機構によりロックブロック５０２も−Ｙ方向に移動する。その結果、ロックブロック５０１とロックブロック５０２は、ともにフロントマガジン底板２０１の移動路と重ならない位置に移動するので、リアマガジン３００はロックが解除されると共に−Ｘ方向移動可能となる。そして、ユーザがフロントマガジン２００を−Ｘ方向へ押し込むことによりリアマガジン３００も−Ｘ方向に移動し、最終的に図３に示す配置で停止する。アクセッサ機構１０３の制御回路は、上記変更したリアマガジン３００の位置情報を元に戻す。
【００４８】
上記説明したように、フロントマガジン２００が装置筐体１０１から取り出された後再び挿入されるまでの間、リアマガジン３００は装置筐体１０１から取り出されていない。したがって、リアマガジン３００内のカートリッジに関する情報は、アクセッサ機構１０３の制御回路に予め保持される情報から更新する必要はない。通常、マガジンが取り出されるとインベントリ動作を改めて行う必要があるが、ここではリアマガジン３００は取り出されていないので、リアマガジン３００内のカートリッジに関してインベントリ動作を改めて行う必要はない。そのため、インベントリ動作は、実際に取り出されたフロントマガジン２００内のカートリッジに対してのみ実施すればよいので、インベントリ動作に要する時間を最低限に抑えることができる。
【００４９】
以上のように、本第１の実施形態によれば、ライブラリ装置１００は、カートリッジ交換の際にフロントマガジン２００が引き出されると、回転軸を中心に回転可能な第１のロック機構４００が、リアマガジン３００のリアマガジン底板３０１に設けられた切欠き部３０２と嵌合する。これにより、第１のロック機構４００は、リアマガジン３００の＋Ｘ方向への移動を制限する。
【００５０】
また、ライブラリ装置１００は、互いに連結されたロックブロック５０１とロックブロック５０２とを備えた第２のロック機構５００とを備える。第２のロック機構５００は、ロックブロック５０１がリアマガジン底板３０１に設けられた凹部３０３に突出すると共に、ロックブロック５０２がリアマガジン底板３０１の背面に当接する。これにより、第２のロック機構５００は、リアマガジン３００の−Ｘ方向への移動を制限する。
【００５１】
上記構成により、ライブラリ装置１００は、カートリッジ交換の際にリアマガジン３００が装置筐体１００から取り出されることを制限できるので、リアマガジン３００に関するインベントリ動作を行う必要がない。また、ライブラリ装置１００は、リアマガジン３００の＋Ｘ方向だけでなく−Ｘ方向への移動を制限できるので、カートリッジ交換の間もリアマガジン３００が動くことなく当該リアマガジン３００に収容される記録媒体を用いて稼働が継続される。したがって、インベントリ動作の時間を最低限に抑えることができると共に、カートリッジ交換の間もライブラリ装置１００の稼働を継続できるので、イブラリ装置１００の非実働時間を短縮することできるという効果が得られる。
【００５２】
第２の実施形態
図８は、本発明の第２の実施形態に係るロック機構６００の構成を示すブロック図である。図８に示すように、ロック機構６００は、第１のロック部６０１と第２のロック部６０２とを備える。
【００５３】
第１のロック部６０１は、収納対象である収納体に向けて回転付勢すると共に、収納体の外形をなす複数の面のうち、収納体の挿抜方向と平行な面に設けられた切欠き部と嵌合可能である。
【００５４】
第２のロック部６０２は、第１のロック部６０１と収納体を挟んで対向する側に設けられ、少なくとも一部が収納体の移動路に位置すると共に、収納体の外形をなす複数の面のうち、収納体が挿抜される挿抜口からみて奥側の面に当接する当接部材を含む。
【００５５】
ロック機構６００は、第１の実施形態における第１のロック機構４００と第２のロック機構５００に相当する。第１のロック部６０１は、同じく第１のロック機構４００に相当し、第２のロック部６０２は、同じく第２のロック機構５００に相当し、当接部材は同じくロックブロック５０２に相当する。また、収納対象である収納体は、同じくマガジンに相当する。
【００５６】
上記構成により、第２の実施形態によれば、ライブラリ装置における非実働時間を短縮できるという効果が得られる。
【００５７】
なお、上記各実施形態で説明したフロントマガジン底板２０１の凹部２０３、リアマガジン底板３０１の凹部３０３、ロックブロック５０１、５０２等の形状は図示の形状に限定されない。
【産業上の利用可能性】
【００５８】
本発明は、例えば磁気テープを記録媒体として利用する磁気テープライブラリ装置に適用できる。ただし、記録媒体は磁気テープに限らず、光ディスク等、情報処理装置によって処理されるデータを記録可能な他の媒体であってもよい。また、記録媒体は、カートリッジに収納されていなくてもよい。
【００５９】
上記の実施形態の一部または全部は、以下の付記のようにも記載されうるが、以下には限られない。
（付記１）
収納対象である収納体に向けて回転付勢すると共に、当該収納体の外形をなす複数の面のうち、前記収納体の挿抜方向と平行な面に設けられた切欠き部と嵌合可能な第１のロック部と、
前記第１のロック部と前記収納体を挟んで対向する側に設けられ、少なくとも一部が前記収納体の移動路に位置すると共に、前記収納体の外形をなす複数の面のうち、当該収納体が挿抜される挿抜口からみて奥側の面に当接する当接部材を含む第２のロック部と
を備えたロック機構。
（付記２）
前記第２のロック部は、前記当接部材に連結されると共に、当該当接部材が前記収納体の移動路と重ならない位置に移動する方向に力を加えるシャフトをさらに含む
付記１記載のロック機構。
（付記３）
前記シャフトは、一端で前記当接部材に連結される第１のシャフトと、当該第１のシャフトの他端に対して前記当接部材が前記収納体の移動路と重ならない位置に移動する方向に力を加える第２のシャフトとを含む
付記２記載のロック機構。
（付記４）
前記第２のロック部は、前記第２のシャフトにおける、前記第１のシャフトの他端に対して前記力を加える端部の他端に連結されると共に、少なくとも一部が前記収納体の移動路に位置するロック部材をさらに含む
付記３記載のロック機構。
（付記５）
前記ロック部材は、前記切欠き部が設けられた面に対向する面に設けられた凹部に、前記少なくとも一部が位置する
付記４記載のロック機構。
（付記６）
前記ロック部材は、前記収納体の挿入方向の力を受けると、前記収納体の移動路と重ならない位置に移動すると共に、前記第２のシャフトを介して前記第１のシャフトに対して前記当接部材が前記収納体の移動路と重ならない位置に移動する方向に力を加える
付記４または付記５記載のロック機構。
（付記７）
前記第２のシャフトは、前記ロック部材の移動に連動して回転し、前記第１のシャフトは、前記第２のシャフトの前記回転に連動して回転することにより、前記当接部材が前記収納体の移動路と重ならない位置に移動する方向に力を加える
付記６記載のロック機構。
（付記８）
前記第２のロック部は、前記第１のシャフトと前記第２のシャフトとを連結すると共に、前記第１のシャフトに連結される前記当接部材と、前記第２のシャフトに連結される前記ロック部材とが前記収納体を押さえる方向に付勢する付勢部材をさらに含む
付記３ないし付記７のいずれか１項記載のロック機構。
（付記９）
前記第１のロック部は、前記回転付勢に抗う力に応じて回転することにより前記嵌合を解除する
付記１ないし付記８のいずれか１項記載のロック機構。
（付記１０）
前記第１のロック部は、前記切欠き部と嵌合する第１片と、前記第１片と回転軸に対して異なる方向に延びると共に前記回転付勢に抗う力に応じて前記回転軸周りに回転する第２片とを含む
付記９記載のロック機構。
（付記１１）
挿抜口からみて手前に配置される第１の収納体と、前記第１の収納体に対して前記挿抜口からみて奥側に配置される第２の収納体と、
前記第１の収納体に向けて回転付勢すると共に、前記第１の収納体の外形をなす複数の面のうち、当該第１の収納体の挿抜方向と平行な面に設けられた切欠き部と嵌合する第１のロック部と、前記第１のロック部と前記第１の収納体を挟んで対向する側に設けられ、前記第１の収納体の外形をなす複数の面のうち、前記挿抜口からみて奥側の面に設けられた突出部に当接することにより前記第１の収納体の移動路と重ならない位置で停止する当接部材を含む第２のロック部とを有するロック機構と
を備えたライブラリ装置。
（付記１２）
前記第１の収納体と前記第２の収納体として、記録媒体を収納するマガジンを備えた付記１１記載のライブラリ装置。
（付記１３）
前記第１のロック部に対して、前記回転付勢に抗う力を加えるアクセッサ機構をさらに備えた付記１１または付記１２記載のライブラリ装置。
【符号の説明】
【００６０】
１００  ライブラリ装置
１０１  装置筐体
１０２  磁気テープドライブ
１０３  アクセッサ機構
１０４  アクセッサ機構ガイドレール
１０５  マガジンガイドレール
１０６  挿抜口
２００  フロントマガジン
２０１  フロントマガジン底板
２０２、３０２  切欠き部
２０３、３０３  凹部
２０４  突出部
３００  リアマガジン
３０１  リアマガジン底板
４００  第１のロック機構
４０１  ロックレバー
４０２  ロック回転軸
５００  第２のロック機構
５０１、５０２  ロックブロック
５０３、５０４  ロックシャフト
５０５、５０６  ロック回転軸
【図１】
2014116038.tif 000003
【図２】
2014116038.tif 000004
【図３】
2014116038.tif 000005
【図４】
2014116038.tif 000006
【図５】
2014116038.tif 000007
【図６】
2014116038.tif 000008
【図７】
2014116038.tif 000009
【図８】
2014116038.tif 000010